(57)【要約】【構成】割り込み中に用紙設定が変更されると、変更前の用紙設定を記憶し、割り込みの解除時に、用紙設定が変更された給紙部がマルチ用紙か単用紙かをチェックし、単用紙なら変更前の用紙設定に復帰する。マルチ用紙で割り込み前のジョブが残っていない場合、割り込み中に変更した用紙設定を維持し、ジョブが残っているが用紙が残っていない場合は、変更前の用紙設定に復帰する。ジョブも用紙も残っている場合は用紙交換のメッセージを表示し、用紙が交換されると変更前の用紙設定に復帰する。【効果】ユーザが用紙の再設定を行わなければならない回数を減らし、割り込み復帰時の操作性を向上する。【選択図】　　図６
2004070025.tif 000002
【特許請求の範囲】
【請求項１】
給紙部と、画像データの入力部と、画像の記録部と、割り込み開始の入力手段とを備えた記録装置において、
給紙部の用紙設定が割り込み中に変更された場合に、変更前の用紙設定を記憶するための手段を設けて、
割り込み終了時に、該給紙部が、複数枚の用紙を収納するマルチ用紙給紙部か、用紙を１枚のみ保持する給紙部かにより、用紙設定の復帰手順を異ならせるようにしたことを特徴とする記録装置。
【請求項２】
給紙部と、画像データの入力部と、画像の記録部と、割り込み開始の入力手段とを備えた記録装置において、
給紙部の用紙設定が割り込み中に変更された場合に、変更前の用紙設定を記憶するための手段を設けて、
割り込み終了時に、該給紙部の用紙の有無により、用紙設定の復帰手順を異ならせるようにしたことを特徴とする、記録装置。
【請求項３】
前記給紙部に用紙が残っていない場合は、変更前の用紙設定に復帰し、用紙が残っている場合は、用紙を交換することを促すメッセージを表示部に表示するようにしたことを特徴とする、請求項２の記録装置。
【請求項４】
割り込み前の記録作業が終了している場合は、割り込み中に変更された用紙設定を割り込み終了後も有効とし、前記記録作業が終了していない場合は、前記給紙部に用紙が残っているか否かで用紙設定の復帰手順を異ならせるようにしたことを特徴とする、請求項２または３の記録装置。
【請求項５】
前記メッセージに対して、ユーザが用紙の交換以外の処理を行った場合、ユーザの処理に応じて用紙設定の復帰先を定めるようにしたことを特徴とする、請求項３の記録装置。
【発明の詳細な説明】
【０００１】
【発明の利用分野】
この発明は、ファクシミリやコピー機、プリンタなどの、用紙に画像を記録する記録装置に関する。
【０００２】
【従来技術】
コピー機などの記録装置では、記録作業の途中で割り込みがなされ、割り込み中に用紙設定が変更されると、割り込み終了後も変更された用紙設定をそのまま維持するようにしていた。割り込みが終了すると、中断された記録作業を再開する場合が多く、割り込み中に変更された用紙設定のままでは不便である。しかしながら発明者は、単に割り込み前の用紙設定に復帰するだけでは不便な場合があることに気付き、この発明に到った。例えば用紙設定を変更した給紙部に、割り込み中に用いた用紙が残っている場合、用紙設定のみを変更すると、給紙部に実際にある用紙と用紙設定とが不一致となり不便である。
【０００３】
【発明の課題】
この発明の課題は、割り込み中に給紙部の用紙設定が変更され、割り込みから復帰する際に、ユーザに便利な用紙設定に復帰するようにして、操作性を向上させることにある（請求項１〜５）。
【０００４】
【用語法】
この明細書で用紙設定は、用紙のサイズの設定を含み、同じサイズでも用紙の種類に応じて記録装置が区別して扱える場合などは、用紙のサイズの他に用紙の種類の設定を含めても良い。
用紙設定の復帰手順は、割り込み終了後の用紙設定を決定する際の、記録装置の内部での判断手続を意味する。
【０００５】
【発明の構成】
この発明は、給紙部と、画像データの入力部と、画像の記録部と、割り込み開始の入力手段とを備えた記録装置において、給紙部の用紙設定が割り込み中に変更された場合に、変更前の用紙設定を記憶するための手段を設けて、割り込み終了時に、該給紙部が、複数枚の用紙を収納するマルチ用紙給紙部か、用紙を１枚のみ保持する給紙部かにより、用紙設定の復帰手順を異ならせるようにしたことを特徴とする（請求項１）。
【０００６】
またこの発明は、給紙部と、画像データの入力部と、画像の記録部と、割り込み開始の入力手段とを備えた記録装置において、給紙部の用紙設定が割り込み中に変更された場合に、変更前の用紙設定を記憶するための手段を設けて、割り込み終了時に、該給紙部の用紙の有無により、用紙設定の復帰手順を異ならせるようにしたことを特徴とする（請求項２）。
【０００７】
好ましくは、前記給紙部に用紙が残っていない場合は、変更前の用紙設定に復帰し、用紙が残っている場合は、用紙を交換することを促すメッセージを表示部に表示するようにする（請求項３）。
また好ましくは、割り込み前の記録作業が終了している場合は、割り込み中に変更された用紙設定を割り込み終了後も有効とし、前記記録作業が終了していない場合は、前記給紙部に用紙が残っているか否かで用紙設定の復帰手順を異ならせるようにする（請求項４）。
【０００８】
特に好ましくは、前記メッセージに対して、ユーザが用紙の交換以外の処理を行った場合、ユーザの処理に応じて用紙設定の復帰先を定めるようにする（請求項５）。
【０００９】
【発明の作用と効果】
請求項１の発明では、割り込み終了時に、該当する給紙部が複数枚の用紙を収納するマルチ用紙給紙部か、用紙を１枚のみ保持して給紙する単用紙給紙部かにより復帰手順を異ならせる。単用紙給紙部の場合は、変更前の用紙設定に復帰すると、割り込みで中断した記録作業を、用紙設定を再度行わずに続行できる。しかしマルチ用紙給紙部の場合は、割り込み時に使用していた用紙が給紙部に残っているのが普通で、自動的に割り込み前の用紙設定に復帰すると、給紙部に実際にある用紙と違う設定になり不便である。請求項１の発明では、給紙部がマルチ用紙給紙部か単用紙給紙部かで復帰手順を異ならせるので、割り込み終了時の用紙設定を、ユーザの使い勝手が良いように、復帰させることができる。
【００１０】
請求項２の発明では、該当する給紙部での用紙の有無を割り込み終了時にチェックし、用紙の有無により用紙設定の復帰手順を異ならせるので、割り込み終了時の用紙設定に関する操作性が向上する。例えば用紙が残っていない場合、元の用紙設定に復帰すれば良く、用紙が残っている場合、その用紙を除くなどの処理が必要なので、用紙の有無により用紙設定の復帰手順を異ならせると、給紙部の状況に応じた処理ができる。
【００１１】
請求項３の発明では、給紙部に用紙が残っていない場合は、変更前の用紙設定に復帰するので、用紙設定を再設定せずに中断した記録作業を続行できる。用紙が残っている場合は用紙交換を促すメッセージを表示するので、ユーザの意図していない用紙に記録されることがない。
請求項４の発明では、割り込み前の記録作業が残っていない場合は、割り込み中に変更された用紙設定でも、それ以外の場合の用紙設定の変更と区別する必要がないので、割り込み終了後も有効とする。このため、用紙設定の変更を合理的に管理できる。
【００１２】
請求項５の発明では、用紙交換を促すメッセージに対して、ユーザが残っている用紙のままで良い旨の入力などをした場合に備えて、ユーザの処理に応じて用紙設定の復帰先を定める。このため、割り込み終了時の用紙設定に関する操作性をさらに向上できる。
【００１３】
【実施例】
図１〜図６に、実施例を示す。これらの図において、２はファクシミリ装置で、記録装置の例であり、コピー機やプリンタなどでも良い。ファクシミリ装置２にはマルチ用紙給紙部４と単用紙給紙部６とが設けられ、マルチ用紙給紙部４は複数枚の用紙を収納して１枚ずつ給紙できるものであり、単用紙給紙部６は用紙を１枚しか保持できないものである。マルチ用紙給紙部４は例えば１〜３個設け、マルチ用紙給紙部４の個数はファクシミリ装置２のユーザのオプション事項である。
【００１４】
図２に移り、１０はファクシミリ装置全体のＣＰＵで、１２は原稿画像の読み取り用のスキャナで、１４は読み取った原稿画像を記憶するためのイメージメモリ、１６はコーデックで、読み取った画像データの符号化と、符号化した画像データの復号とを行う。１８はＲＯＭで、プログラムなどを記憶し、２０はＲＡＭで、作業用のデータを記憶し、２２は操作部で、用紙設定部２４や割り込みキー２５を備えている。２６は表示部で、ＬＣＤなどからなり、操作部２２は例えば表示部２６のＬＣＤに重ねて設けたタッチパネルなどで構成されている。
【００１５】
２８は画像メモリで、コーデック１６で符号化した画像データを記憶し、３０はＬＡＮインターフェースで、特に設けなくても良く、３２は網制御ユニットで、公衆電話回線網などとの接続を確立し、３４は通信用のモデムである。３６はプリンタで、３８はその給紙制御部である。給紙制御部３８の詳細を説明すると、４０は紙送り手段で、用紙設定情報で設定された給紙部４，６から１枚ずつ用紙をプリンタ３６へ供給する。給紙部４，６には用紙サイズセンサと用紙の有無を検出するセンサとが設けられ、例えば用紙サイズセンサは給紙部４，６にセットされた用紙をガイドするバーの位置などを検出する。このため各給紙部４，６に対して、どのような用紙サイズにセットされているかと、用紙の有無とが判明する。なお用紙サイズセンサや用紙の有無の検出センサの構成や取付位置は任意である。
【００１６】
４２は用紙設定情報記憶部で、各給紙部４，６について、どのような用紙サイズに設定されているかと、用紙の有無とを記憶する。また複数の給紙部４，６の内で、どの給紙部の用紙を用いるように設定されているかを記憶する。従って用紙設定情報の内容は、どの給紙部を用いるかと、その用紙サイズとである。そして用紙設定情報には、他の補助的情報として、給紙部の用紙の有無がある。これ以外に、同じサイズの用紙でも、新しい用紙とリサイクル用紙並びにその他の特殊用紙などのように、用紙を区別する場合、これらの用紙の種類（新紙／リサイクル／特殊など）を用紙設定情報の一部と見なしても良い。
【００１７】
用紙設定の内容をさらに説明する。用紙設定部２４でどの給紙部を用いるかが設定されると、設定された給紙部の用紙を用いて記録を行う。また用紙設定部２４で、例えばＡ４（新紙），Ａ４リサイクル，Ａ４特殊紙などのように、用紙のサイズと種類あるいは用紙の種類を指定できる場合、指定された用紙の種類も用紙設定情報記憶部４２に記憶す。各給紙部４，６での用紙のサイズと用紙の有無は、給紙部４，６のセンサからの信号により、用紙設定情報記憶部４２に記憶される。
【００１８】
図３〜図５に、割り込みの途中で用紙設定が変更された際の処理を示す。なお給紙部が複数ある場合で、例えば割り込み前に給紙部Ａが使用され、割り込み中に給紙部Ｂを用いるように用紙設定が変更された場合、割り込みが終了すると、元の給紙部Ａに用紙設定を戻せばよい。実施例で扱うのは、割り込み前から使用していた給紙部Ａに対して、割り込み中に用紙サイズの変更などがなされた場合である。このような場合に、割り込み終了後に給紙部Ａの用紙をそのまま用いると、例えば用紙のサイズがユーザが割り込み前に使っていたものと異なるなどにより、トラブルが生じるおそれがある。そこで状況に応じて用紙設定の復帰手順、即ち割り込みの解除に伴って用紙設定を変更する手順、を定める必要がある。
【００１９】
実施例では用紙設定として用紙サイズに関する設定を示す。なおこれ以外に、用紙の種類に関して同様の問題が生じ得るが、その場合も図３〜図５のフローチャートと同様の処理をすればよい。例えばＡ４リサイクル用紙が給紙部Ａにあり、割り込み前から給紙部Ａを用いてコピーしていたとする。割り込みの途中で、給紙部Ａの用紙がＡ４リサイクルからＡ４新紙に変更され、用紙設定部から給紙部Ａの設定が、Ａ４リサイクルからＡ４（新紙）へ変更すされたとする。割り込みが解除された場合に、割り込み前のコピー作業が残っているとすると、Ａ４新紙ではなくＡ４リサイクル用紙にコピーするのが好ましい。そしてこの場合、用紙設定は「給紙部Ａの単なるＡ４」から「給紙部ＡのＡ４リサイクル」に変更されているので、図３〜図５のフローチャートと同様の処理を施すと、コピー作業を再開する前に、「給紙部Ａの用紙をＡ４リサイクル変更して下さい」との旨のメッセージが表示され、給紙部Ａの用紙をリサイクル用紙に交換して、コピー作業を続行できる。
【００２０】
給紙部Ａが選択され、コピー作業を実行中であるとする。ここで割り込みキーが押下されると、割り込みモードへ移行する（ステップ１，２）。割り込みの途中で給紙部Ａに関して用紙設定に変更がなされると（ステップ３）、変更前の用紙設定を記憶し、割り込み中に入力された用紙設定に従って用紙設定を変更する（ステップ４）。そして割り込み中に用紙設定が変更されると、例えばフラグＰをセットしてその旨を記憶する（ステップ５）。割り込み中のプリント（記録）を実行し（ステップ６）、再度割り込みキーが押下されると、割り込みが解除されたものとする（ステップ７）。ここでフラグＰがセットされていない場合、割り込み前に使用していた給紙部Ａの内容に変更がないので、割り込みの処理を終了し、中断していたジョブを再開すればよい。またフラグＰがセットされている場合、結合子▲１▼から図４に移り、用紙設定の復帰先を決定する作業に移行する（ステップ８）。
【００２１】
図４のステップ１１で、用紙変更された給紙部はマルチ用紙給紙部か単用紙給紙部かをチェックする。単用紙給紙部の場合、結合子▲２▼から図５のステップ２１に移行し、記憶している用紙設定、即ち割り込み中に変更される前の用紙設定に、用紙設定を戻す。単用紙給紙部を用いるのは、一般に特殊用紙の場合が多く、記録作業も遅く、割り込み前の記録作業（ジョブ）が残っている場合が多い。そこで割り込み前の用紙設定に設定を戻すことにより、用紙の再設定無しで中断したジョブを実行できる。また１枚ずつ用紙をセットするので、割り込み中に用いられた用紙は単用紙給紙部に残っていないはずである。このため、用紙設定を再度行わずに、割り込みで中断した記録作業を再開できる。なお仮に割り込み中に用いた用紙が単用紙給紙部に残っている場合、単用紙給紙部の用紙サイズセンサが設定と異なるサイズにセットされていることを検出し、表示部に「用紙のサイズが間違っています」などのメッセージがなされる。
【００２２】
給紙部がマルチ用紙給紙部の場合、割り込み前のジョブが残っているかどうかをチェックし（ステップ１２）、残っていない場合、結合子▲３▼から図５のステップ２４へ移行し、現在の用紙設定、即ち割り込み中に変更された用紙設定、を筆続き有効とする。これは、割り込み前のジョブが残っていない場合、割り込み中の用紙設定を特に無効とする理由もないからである。この結果、例えばＡ４用紙が用いられていたマルチ用紙給紙部Ａが、割り込みの途中でＡ３用紙にサイズ変更されると、割り込み解除後は用紙Ａ３にセットされることになる。
【００２３】
マルチ用紙給紙部が用いられ、割り込み前のジョブが残っている場合、その給紙部に割り込み中に用いられた用紙が残っているかどうかをチェックする（ステップ１３）。ここで用紙が残っていない場合、そのままでは記録作業を続行できないので、例えばステップ１４で用紙切れをメッセージし、用紙が補充されると（ステップ１５）、結合子▲２▼から図５のステップ２１へ移行する。
【００２４】
なお割り込み前のジョブが残っているかどうかは、スキャナで読み取り済みで、プリントを未実行の画像データがあるかどうか、あるいは割り込みキーが再度押下されて割り込みが解除された後、所定時間内（例えば１０秒以内）にスタートキーなどのキーが押されるかどうか、などによりチェックすればよい。
【００２５】
マルチ用紙給紙部が用いられ、割り込み前のジョブが残存し、かつその給紙部に割り込み中に用いた用紙が残っていると、ファクシミリ装置の表示部に変更前の用紙設定を表示し、用紙交換を促すメッセージを表示する（ステップ１６）。例えばこのメッセージは、「給紙部Ａの用紙をＡ４に交換して下さい」などとする。これに対するユーザの処理（対応）をステップ１７でチェックし、例えば表示に応じた用紙交換がなされると、結合子▲２▼から図５のステップ２１へ移行する。これに対して操作部の用紙設定部などから、使用中の給紙部の用紙設定を給紙部内の用紙のサイズに合わせて変更するなどの設定がなされると、この設定を有効とする。また給紙部から用紙を取り出し、別の用紙に変更すると、この時に用紙サイズセンサで検出した用紙サイズを用紙設定として有効とする。これは、ユーザが割り込み前の用紙サイズに設定を戻すことを好まない場合にも、対応できるようにしたものである（ステップ１８）。
【００２６】
図５に移り、結合子▲４▼を経由する場合は、割り込み中に用紙設定が変更されなかった場合や、割り込み終了後にユーザが新たな用紙設定を行った場合で、この場合、未実行のジョブが残っていれば（ステップ２２）、これを実行して（ステップ２３）、割り込み解除時の処理を終了する。また結合子▲２▼を経由する場合は、割り込み前の用紙設定に戻せばよい場合であり（ステップ１１，１５，１７より分岐）、割り込み前の用紙設定に戻し（ステップ２１）、以下同様に、未実行のジョブがあれば実行する（ステップ２２，２３）。結合子▲３▼を経由する場合は、マルチ用紙給紙部用いられ、かつ割り込み前のジョブが残っていない場合であり、割り込み中に変更された用紙設定をそのまま有効として、終了する。
【００２７】
図６に、割り込みの前後での用紙設定の変化を模式的に示す。なおここでも前記と同様に、割り込み前から用いられていた給紙部に対して、割り込み中に用紙設定が変更されたものとする。給紙部は例えば割り込み前はＡ４用紙がセットされて、このため、用紙設定での用紙サイズはＡ４である。ここで割り込み中に、用紙設定が例えばＡ３に変更されたものとする。割り込みが解除されると、用紙設定の現在値はＡ３で、給紙制御部はこの給紙部がマルチ用紙給紙部かどうかをチェックし、マルチ用紙給紙部でない場合、用紙設定をＡ４に復帰させる。マルチ用紙給紙部でかつ割り込み前のジョブが残っていない場合、割り込み中の用紙設定を尊重し、用紙設定をＡ３とする。マルチ用紙給紙部で割り込み前のジョブが残っており、かつ用紙がない場合、用紙設定をＡ４とする。この場合、用紙がないので、用紙の補充をユーザに求め、その際のメッセージは用紙設定に従って「Ａ４用紙を補充して下さい」などのものにする。
【００２８】
マルチ用紙給紙部で割り込み前のジョブが残っており、かつ給紙部には割り込み中に用いられた用紙が残っていると、用紙の交換を促すメッセージを表示し、ユーザの処理に従って用紙設定の復帰先を決定する。例えば割り込み中にＡ３用紙に変更され、ユーザがＡ３用紙の設定を行うと、用紙設定はＡ３とする。またユーザが用紙をＡ４に交換すると、用紙サイズセンサでＡ４用紙がセットされたことを検出して、用紙設定はＡ４となる。これ以外の用紙をユーザがセットした場合、ユーザがセットした用紙のサイズを用紙サイズセンサで検出して、それに従った用紙設定をする。
【００２９】
実施例では、コピー作業での用紙設定を示したが、例えばネットワークプリンタなどとしても複合機であるファクシミリ装置が用いられている場合に、コピー作業中にプリント作業が割り込んだ際の復帰などでも同様である。
【図面の簡単な説明】
【図１】実施例のファクシミリ装置の外観を示す斜視図
【図２】実施例のファクシミリ装置の構成を示すブロック図
【図３】実施例での割り込み中の用紙設定の変更に関する処理を示すフローチャート
【図４】図３の結合子▲１▼以降の処理を示すフローチャート
【図５】図４以降の処理を示すフローチャート
【図６】実施例での割り込み中の用紙設定の変更に関する処理を模式的に示す図
【符号の説明】
２　　　　　ファクシミリ装置
４　　　　　マルチ用紙給紙部
６　　　　　単用紙給紙部
１０　　　　ＣＰＵ
１２　　　　スキャナ
１４　　　　イメージメモリ
１６　　　　コーデック
１８　　　　ＲＯＭ
２０　　　　ＲＡＭ
２２　　　　操作部
２４　　　　用紙設定部
２５　　　　割り込みキー
２６　　　　表示部
２８　　　　画像メモリ
３０　　　　ＬＡＮインターフェース
３２　　　　網制御ユニット
３４　　　　モデム
３６　　　　プリンタ
３８　　　　給紙制御部
４０　　　　紙送り手段
４２　　　　用紙設定情報記憶部
【図１】
2004070025.tif 000003
【図２】
2004070025.tif 000004
【図３】
2004070025.tif 000005
【図４】
2004070025.tif 000006
【図５】
2004070025.tif 000007
【図６】
2004070025.tif 000008